(57)【要約】【課題】一個の検知スイッチで二つのフィルタの有無を検知することができるスイッチ装置を提供する。【解決手段】スイッチ装置３０は、検知スイッチ本体２２の一面に突出し、スイッチオン動作の位置からスイッチオフ動作の位置に切り替わるように付勢された検知可動部２４と、検知可動部２４を回動軸として遊嵌する回動可能な検知レバー２９とを有し、第１及び第２のフィルタ４、６のいずれかを検知して検知レバー２９が回動することにより、検知可動部２４がスイッチオフ動作をする位置のままでスイッチオフ動作をし、第１及び第２のフィルタ４、６の両方を検知しないとき検知可動部２４がその位置でスイッチオフ動作をし、第１及び第２のフィルタ４、６の両方を検知して検知レバー２９が検知可動部２４のスイッチオン動作をする位置へ移動して、スイッチオン動作をするようにしてある。【選択図】図９
2008071538.tif 000002
【特許請求の範囲】
【請求項１】
第１の被検知体及び第２の被検知体を各検知してスイッチ動作をする検知スイッチと、該検知スイッチを担持するブラケットとを備え、
前記検知スイッチは、前記第１及び第２の被検知体のいずれかを検知するとき、又は前記第１及び第２の被検知体の両方を検知しないとき、スイッチオフ動作をし、前記第１及び第２の被検知体の両方を検知するときのみスイッチオン動作をするように構成してあることを特徴とするスイッチ装置。
【請求項２】
前記検知スイッチは、該検知スイッチ本体の一面に突出し、スイッチオン動作の位置からスイッチオフ動作の位置に切り替わるように付勢された検知可動部と、該検知可動部を回動軸として遊嵌する回動可能な検知レバーとを有し、
前記第１及び第２の被検知体のいずれかを検知して前記検知レバーが回動することにより、前記検知可動部がスイッチオフ動作をするようにしてあることを特徴とする請求項１に記載のスイッチ装置。
【請求項３】
前記検知スイッチは、該検知スイッチ本体の一面に突出し、スイッチオン動作の位置からスイッチオフ動作の位置に切り替わるように付勢された検知可動部と、該検知可動部を回動軸として遊嵌する回動可能な検知レバーとを有し、
前記第１及び第２の被検知体の両方を検知しないとき前記検知可動部がスイッチオフ動作をし、前記第１及び第２の被検知体の両方を検知して前記検知レバーが前記検知可動部のスイッチオン動作をする位置へ移動することにより、前記検知可動部がスイッチオン動作をするようにしてあることを特徴とする請求項１に記載のスイッチ装置。
【請求項４】
前記検知スイッチは、平坦な両側面と、一方の側面に設けられた位置決め用の突起部とを有し、
前記ブラケットは、基板と、該基板に立設された、Ｌ型部材及びＺ型部材を有し、
該Ｚ型部材は前記突起部が嵌合する溝を有しており、
前記Ｌ型部材及びＺ型部材は、前記溝に前記突起部が嵌合して、前記検知スイッチを挟持するようにしてあることを特徴とする請求項１乃至３のいずれか一つに記載のスイッチ装置。
【請求項５】
前記Ｌ型部材及びＺ型部材は、該Ｌ型部材及びＺ型部材の各一端内側の縁部に庇状の突部を有することを特徴とする請求項４に記載のスイッチ装置。
【請求項６】
前記ブラケットは前記基板に立設されたコの字型部材を有し、該コの字型部材が前記Ｌ型部材及びＺ型部材と対向する位置にて空隙を介して設けられており、
前記空隙に前記検知レバーを配設してあることを特徴とする請求項４又は５に記載のスイッチ装置。
【請求項７】
前記第１の被検知体は第１突部を有し、前記第２の被検知体は第２突部を有し、
前記基板は、前記検知レバーが遊嵌する前記検知可動部に対して対称な位置にて、前記被検知体の脱着に応じて前記第１突部及び第２突部のいずれかが出入りする孔を有していることを特徴とする請求項１乃至６のいずれか一つに記載のスイッチ装置。
【請求項８】
前記検知レバーは、前記回動軸に対して貫通孔を有し、該貫通孔の周囲に円筒状に突出した縁部を有することを特徴とする請求項２乃至７のいずれか一つに記載のスイッチ装置。
【請求項９】
前記検知レバーの貫通孔は、前記検知可動部の挿入方向に沿ってテーパー状に狭く形成されていることを特徴とする請求項８に記載のスイッチ装置。
【請求項１０】
前記検知レバーは、両翼に湾曲した端部を有していることを特徴とする請求項１乃至９のいずれか一つに記載のスイッチ装置。
【請求項１１】
電源と、筐体の吸気口に設けられて外気を濾過する着脱自在の第１のフィルタ及び第２のフィルタと、該フィルタを介して吸気し、前記筐体内を負圧にする排気ファンとを備える電気機器において、
前記筐体内に、前記第１及び第２のフィルタを前記第１及び第２の被検知体とする請求項１乃至１０のいずれか一つに記載のスイッチ装置が設けられており、
該スイッチ装置における第１の被検知体は、前記第１のフィルタであり、前記第２の被検知体は前記第２のフィルタであり、
前記スイッチ装置は、前記第１及び第２のフィルタのいずれかの離脱、又は両方の離脱を検知して、スイッチオフ動作をすることにより、前記電源を自動的に切断するように構成してあることを特徴とする電気機器。
【請求項１２】
前記検知スイッチは、前記第１及び第２のフィルタの両方の装着を検知してスイッチオン動作をすることにより、前記電源を自動的にオンすることを特徴とする請求項１１に記載の電気機器。
【請求項１３】
外気を筐体内へ吸い込み排熱をするファンと、
筐体内へ吸い込まれる外気を濾過する第１のフィルタ及び第２のフィルタを備えるプロジェクタにおいて、
前記筐体内に、前記第１及び第２のフィルタを前記第１及び第２の被検知体とする請求項１乃至１０のいずれか一つに記載のスイッチ装置が設けられており、
該スイッチ装置における第１の被検知体は、前記第１のフィルタであり、前記第２の被検知体は前記第２のフィルタであり、
前記スイッチ装置は、前記第１及び第２のフィルタのいずれかの離脱、又は両方の離脱を検知して、スイッチオフ動作をすることにより、前記ファンを停止するように構成してあることを特徴とするプロジェクタ。
【請求項１４】
前記スイッチ装置における一個の検知スイッチは、前記第１及び第２のフィルタの両方の装着を検知してスイッチオン動作をすることにより、前記ファンの運転を開始するようにしてあることを特徴とする請求項１３に記載のプロジェクタ。
【発明の詳細な説明】
【技術分野】
【０００１】
本発明は、スイッチ装置並びにスイッチ装置を用いた電気機器及びプロジェクタに関する。
【背景技術】
【０００２】
プロジェクタのような電気機器は、光源ランプなどの発熱による加熱を押さえて部品の故障を未然に防止するため、冷却ファンで機器筐体内の熱を排出している。冷却ファンによる機器筐体内への吸気のとき、外気の塵などが機器筐体内へ侵入すること防止するため、電気機器の吸気口には防塵用のエアフィルタが設けられている。
【０００３】
この種のエアフィルタを有するプロジェクタとして以下の提案がある。
特許文献１に示す例では、プロジェクタの外装ケースに、複数の通気孔を底面に有する凹状のエアフィルタ収納凹部を設け、エアフィルタ収納凹部にエアフィルタを収納した後、エアフィルタ収納凹部の開口面に、係止により着脱自在に複数の通気口を有するエアフィルタ交換蓋を取り付けるように構成し、エアフィルタ交換蓋の着脱によりエアフィルタ収納凹部からエアフィルタを取り出し自在としている。
【０００４】
また特許文献２に示す例では、フィルタカバーに装着された防塵フィルタでガードされた筐体の吸気口を、何らかの障害物により塞がれた状態で使用した場合、スプリング部材により筐体の側面から外側に押し出されて支持されたフィルタカバーが筐体の内部側に押さえ込まれることにより、筐体の内部に備えられた第２の検知スイッチを押し、吸気口が塞がれたことを検知でき、また筐体の内部に備えられた第１の検知スイッチがフィルタカバーの端部と非接触状態となることで、フィルタカバーの非装着を検知することができるようになっている。
【特許文献１】特開２００４−１０９７８１号公報
【特許文献２】特開２０００−２６１７４０号公報
【発明の開示】
【発明が解決しようとする課題】
【０００５】
しかしながら従来の特許文献１のようなプロジェクタの多くは、エアフィルタの掃除又は交換の便宜を図るため、フィルタカバーを取り外すことにより、エアフィルタも同時に外れるようにしている。
したがって、電源が入った状態でフィルタカバーを取り外した場合及びフィルタカバーを取り外した状態で電源を入れた場合は、冷却ファンの作動によって、多量の汚染された外気が濾過されずに機器筐体内に吸い込まれるという問題がある。
【０００６】
そこで、このような問題を防止すべく、特許文献２では、フィルタカバーの着脱状態を検知するため検知スイッチを備えるようにしているが、フィルタカバーの非装着を検知する第１の検知スイッチ及び吸気口が塞がれたときのフィルタカバーの動きを検知する第２の検知スイッチを備え、一つの被検知対象に対して二個の検知スイッチを使用しており、一個の検知スイッチですまそうとする場合及び複数のフィルタカバーの装着の有無を一個の検知スイッチで検知しようとする場合など、構成を簡単かつ低コストにする上で改善の余地がある。
【０００７】
本発明は、このような事情に鑑みてなされたものであって、その目的とするところは、二つの被検知体のいずれかを検知又は両方を検知するか否かに基づいて検知スイッチがスイッチオン動作又はスイッチオフ動作をすることにより、一個の検知スイッチで二つの被検知体の有無を検知することができるスイッチ装置を提供することにある。
【０００８】
また本発明の他の目的とするところは、外乱が作用しないようにしたブラケットに検知スイッチを配設することにより、検知精度のよいスイッチ装置を提供することにある。
【０００９】
さらに本発明の他の目的とするところは、ブラケットに設けた空隙に沿って、検知レバーが回動及び往復動することにより、検知レバーの動きを滑らかにガイドすることができるスイッチ装置を提供することにある。
【００１０】
本発明の他の目的とするところは、検知スイッチの検知レバーが偏ることなく被検知体の突部が当接するようにしたことにより、突部の動きを検知レバーに効率よく伝達することができるスイッチ装置を提供することにある。
【００１１】
本発明の他の目的とするところは、検知スイッチの検知レバーをガイドする構成とすることにより、検知レバーの左右方向のぶれを抑えることができるスイッチ装置を提供することにある。
【００１２】
本発明の他の目的とするところは、検知スイッチの検知可動部を遊嵌する検知レバーの貫通孔内面をテーパー状にすることにより、検知スイッチの検知可動部の往復動と検知レバーとの不要な干渉を抑えることができるスイッチ装置を提供することにある。
【００１３】
本発明の他の目的とするところは、検知スイッチの検知レバーの両翼を湾曲させることにより、被検知体の突部が検知レバーに滑らかに当接することができるスイッチ装置を提供することにある。
【００１４】
本発明の他の目的とするところは、二つのフィルタのいずれを引き出しても一個の検知スイッチで電源がきれる構造又は冷却ファンが停止する構造とすることにより、フィルタを取り外した状態で動作をさせない電気機器及びプロジェクタを提供することにある。
【課題を解決するための手段】
【００１５】
本発明のスイッチ装置は、第１の被検知体及び第２の被検知体を各検知してスイッチ動作をする検知スイッチと、該検知スイッチを担持するブラケットとを備え、前記検知スイッチは、前記第１及び第２の被検知体のいずれかを検知するとき、又は前記第１及び第２の被検知体の両方を検知しないとき、スイッチオフ動作をし、前記第１及び第２の被検知体の両方を検知するときのみスイッチオン動作をするように構成してあることを特徴とする。
【００１６】
このような構成の本発明のスイッチ装置では、一個の検知スイッチを担持したブラケットを配設して、二つの被検知体のいずれかを検知し、又は両方を検知しないとき、一個の検知スイッチがスイッチオフ動作をし、二つの被検知体の両方を検知するときのみスイッチオン動作をする。
【００１７】
また本発明のスイッチ装置は、前記検知スイッチは、該検知スイッチ本体の一面に突出し、スイッチオン動作の位置からスイッチオフ動作の位置に切り替わるように付勢された検知可動部と、該検知可動部を回動軸として遊嵌する回動可能な検知レバーとを有し、前記第１及び第２の被検知体のいずれかを検知して前記検知レバーが回動することにより、前記検知可動部がスイッチオフ動作をするようにしてあることを特徴とする。
【００１８】
このような構成の本発明のスイッチ装置では、二つの被検知体のいずれかが検知レバーに当接し、検知可動部を回動軸として検知レバーが回動し、検知可動部がスイッチオフ動作をする。
【００１９】
さらに本発明のスイッチ装置は、前記検知スイッチは、該検知スイッチ本体の一面に突出し、スイッチオン動作の位置からスイッチオフ動作の位置に切り替わるように付勢された検知可動部と、該検知可動部を回動軸として遊嵌する回動可能な検知レバーとを有し、前記第１及び第２の被検知体の両方を検知しないとき前記検知可動部がスイッチオフ動作をし、前記第１及び第２の被検知体の両方を検知して前記検知レバーが前記検知可動部のスイッチオン動作をする位置へ移動することにより、前記検知可動部がスイッチオン動作をするようにしてあることを特徴とする。
【００２０】
このような構成の本発明のスイッチ装置では、二つの被検知体の両方が検知レバーに当接していないとき、検知可動部が原点位置を維持したままであり、スイッチオフ動作を維持する。被検知体の両方が検知レバーに当接すると、検知可動部が付勢力に抗して上限界点まで移動し、スイッチオン動作をする。
【００２１】
本発明のスイッチ装置は、前記検知スイッチは、平坦な両側面と、一方の側面に設けられた位置決め用の突起部とを有し、前記ブラケットは、基板と、該基板に立設された、Ｌ型部材及びＺ型部材を有し、該Ｚ型部材は前記突起部が嵌合する溝を有しており、前記Ｌ型部材及びＺ型部材は、前記溝に前記突起部が嵌合して、前記検知スイッチを挟持するようにしてあることを特徴とする。
【００２２】
このような構成の本発明のスイッチ装置では、検知スイッチ本体側面の突起部がＺ型部材の溝に嵌合し、Ｌ型部材及びＺ型部材が検知スイッチ本体の両側面を挟持し、検知スイッチ本体の左右及び前後の移動を禁止する。
【００２３】
本発明のスイッチ装置は、前記Ｌ型部材及びＺ型部材は、該Ｌ型部材及びＺ型部材の各上端内側の縁部に庇状の突部を有することを特徴とする。
【００２４】
このような構成の本発明のスイッチ装置では、検知スイッチをＬ型部材及びＺ型部材に装着していくとき、Ｌ型部材が変形し、Ｌ型部材及びＺ型部材が検知スイッチ本体を挟持し、庇状の突部が検知スイッチの揺動、例えば上下動を禁止する。
【００２５】
本発明のスイッチ装置は、前記ブラケットは前記基板に立設されたコの字型部材を有し、該コの字型部材が前記Ｌ型部材及びＺ型部材と対向する位置にて空隙を介して設けられており、前記空隙に前記検知レバーを配設してあることを特徴とする。
【００２６】
このような構成の本発明のスイッチ装置では、Ｌ型部材及びＺ型部材とコの字型部材との間の空隙に沿って、検知レバーが回動及び往復動し、検知レバーの貫通孔から突出する検知可動部がコの字型部材の凹部内で接触することなく、往復動可能な空間を確保する。
【００２７】
本発明のスイッチ装置は、前記第１の被検知体は第１突部を有し、前記第２の被検知体は第２突部を有し、前記基板は、前記検知レバーが遊嵌する前記検知可動部に対して対称な位置にて、前記被検知体の脱着に応じて前記第１突部及び第２突部のいずれかが出入りする孔を有していることを特徴とする。
【００２８】
このような構成の本発明のスイッチ装置では、第１突部及び第２突部が被検知体の脱着に応じて、基板の孔を出入りして、検知レバーの各翼を突き上げ、検知レバーが回動又は往復動する。
【００２９】
本発明のスイッチ装置は、前記検知レバーは、前記回動軸に対して貫通孔を有し、該貫通孔の周囲に円筒状に突出した縁部を有することを特徴とする。
【００３０】
このような構成の本発明のスイッチ装置では、検知レバーの縁部がＬ型部材及びＺ型部材の間隙に填り、検知可動部の動きに応じて回動又は往復動する検知レバーの左右方向のぶれを抑える。
【００３１】
本発明のスイッチ装置は、前記検知レバーの貫通孔は、前記検知可動部の挿入方向に沿ってテーパー状に狭く形成されていることを特徴とする。
【００３２】
このような構成の本発明のスイッチ装置では、検知レバーの回動又は往復動に応じて検知可動部が貫通孔のテーパー状の面に沿って遊嵌しつつ、往復動する。
【００３３】
本発明のスイッチ装置は、前記検知レバーは、両翼に湾曲した端部を有していることを特徴とする。
【００３４】
このような構成の本発明のスイッチ装置では、被検知体の第１突部及び第２突部が湾曲した翼に滑らかに当接し、検知可動部を回動軸として検知レバーが滑らかに回動する。
【００３５】
本発明の電気機器は、電源と、筐体の吸気口に設けられて外気を濾過する着脱自在の第１のフィルタ及び第２のフィルタと、該フィルタを介して吸気し、前記筐体内を負圧にする排気ファンとを備える電気機器において、前記筐体内に、前記第１及び第２のフィルタを前記第１及び第２の被検知体とする本発明のスイッチ装置のいずれか一つが設けられており、該スイッチ装置における第１の被検知体は、前記第１のフィルタであり、前記第２の被検知体は前記第２のフィルタであり、前記スイッチ装置は、前記第１及び第２のフィルタのいずれかの離脱、又は両方の離脱を検知して、スイッチオフ動作をすることにより、前記電源を自動的に切断するように構成してあることを特徴とする。
【００３６】
このような構成の本発明の電気機器では、二つのフィルタのいずれか又は両方を引き出してもスイッチオフ動作をし、電源が自動的に切れる。
【００３７】
本発明の電気機器は、前記検知スイッチは、前記第１及び第２のフィルタの両方の装着を検知してスイッチオン動作をすることにより、前記電源を自動的にオンすることを特徴とする。
【００３８】
このような構成の本発明の電気機器では、二つのフィルタを装着したことを検知したときのみスイッチオン動作をし、電源が自動的にオンする。
【００３９】
本発明のプロジェクタは、外気を筐体内へ吸い込み排熱をするファンと、筐体内へ吸い込まれる外気を濾過する第１のフィルタ及び第２のフィルタを備えるプロジェクタにおいて、前記筐体内に、前記第１及び第２のフィルタを前記第１及び第２の被検知体とする本発明のスイッチ装置のいずれか一つが設けられており、該スイッチ装置における第１の被検知体は、前記第１のフィルタであり、前記第２の被検知体は前記第２のフィルタであり、前記スイッチ装置は、前記第１及び第２のフィルタのいずれかの離脱、又は両方の離脱を検知して、スイッチオフ動作をすることにより、前記ファンを停止するように構成してあることを特徴とする。
【００４０】
このような構成の本発明のスイッチ装置では、第１のフィルタ及び第２のフィルタのいずれか又は両方を引き出してもスイッチオフ動作をする。
【００４１】
本発明のプロジェクタは、前記スイッチ装置における一個の検知スイッチは、前記第１及び第２のフィルタの両方の装着を検知してスイッチオン動作をすることにより、前記ファンの運転を開始するようにしてあることを特徴とする。
【００４２】
このような構成の本発明のプロジェクタでは、第１のフィルタ及び第２のフィルタを装着したことを検知したときのみスイッチオン動作をする。
【発明の効果】
【００４３】
本発明のスイッチ装置は、二つの被検知体を検知するときのみスイッチオン動作をし、それ以外ではスイッチオフ動作をするので、一個の検知スイッチで二つの被検知体の例えば脱着の有無を検知することができるという効果を有する。
したがって、本発明のスイッチ装置は、検知機構の構成を簡単かつ低コストにすることができる。
【００４４】
本発明のスイッチ装置は、二つの被検知体のうちいずれかを検知しているときスイッチオフ動作をするので、二つの被検知体のうちいずれかが有るという２種類の状態を一つのスイッチオフ状態として検知することができるという効果を有する。
したがって、本発明のスイッチ装置は、例えば被検知体がフィルタのとき、いずれかのフィルタが抜かれた状態ではスイッチオフ動作となり、例えば冷却ファンの電源をオフにすることができる。
【００４５】
本発明のスイッチ装置は、二つの被検知体の両方を検知したときスイッチオン動作をし、両方を検知しないときスイッチオフ動作をするので、一個の検知スイッチで二つの被検知体の有無を検知することができるという効果を有する。
したがって、本発明のスイッチ装置は、検知機構の構成を簡単かつ低コストにすることができる。
【００４６】
本発明のスイッチ装置は、検知スイッチ本体がブラケットで固定されているので、検知可動部に外乱が作用せず、検知精度がよいという効果を有する。
【００４７】
本発明のスイッチ装置は、Ｌ型部材及びＺ型部材が検知スイッチ本体を挟持し、庇状の突部が検知スイッチの揺動、例えば上下動を禁止するので、検知可動部の往復動に対して外乱を及ぼすことがなく、検知精度がよいという効果を有する。
【００４８】
本発明のスイッチ装置は、ブラケットのＬ型部材及びＺ型部材とコの字型部材との間の空隙に沿って、検知レバーが回動及び往復動するので、検知レバーの動きをガイドすることができるという効果を有する。
【００４９】
本発明のスイッチ装置は、検知レバーの回動軸となる検知可動部に対して対称な位置にて基板の孔から第１突部及び第２突部が出入りするので、第１突部及び第２突部の突き上げを偏ることなく検知レバーに効率よく伝達することができるという効果を有する。
【００５０】
本発明のスイッチ装置は、検知レバーの縁部がＬ型部材及びＺ型部材にガイドされるので、検知レバーの左右方向のぶれを抑えることができるという効果を有する。
【００５１】
本発明のスイッチ装置は、検知レバーの回動又は往復動に応じて検知可動部が貫通孔のテーパー状の面に沿って動くので、検知可動部の往復動と検知レバーとの干渉を抑えることができるという効果を有する。
【００５２】
本発明のスイッチ装置は、検知レバーの端部が湾曲しているので、被検知体の第１突部及び第２突部が検知レバーの翼に滑らかに当接し、検知レバーの回動を滑らかにすることができるという効果を有する。
【００５３】
本発明の電気機器及びプロジェクタは、二つのフィルタのいずれを引き出しても一個の検知スイッチで電源がきれる構造又は冷却ファンが停止する構造を有しているので、フィルタを取り付けない状態での機器使用による不具合発生を未然に防止することができるという効果を有する。
【００５４】
本発明の電気機器及びプロジェクタは、二つのフィルタのうち、両方の装着を検知するときのみスイッチオン動作をするので、フィルタが二つ装着されているときのみスイッチオン動作をし、フィルタ未装着のときスイッチオン動作をせず、いずれかのフィルタ又は両方のフィルタを取り付けない状態での機器使用による不具合を未然に防止することができるという効果を有する。
【発明を実施するための最良の形態】
【００５５】
以下、図面に基づき、本発明に係るスイッチ装置を用いた電気機器としてプロジェクタを例に挙げ、好適な実施の形態を説明する。
プロジェクタは、通常、筐体内に配置している光源と、光源から発せられる三原色光に基づいて投写画像を表示する画像表示素子と、画像表示素子の画像を拡大投写する投写レンズと、外気を筐体内へ吸い込み光源を冷却する冷却ファンと、筐体内へ吸い込まれる外気を濾過する第１のフィルタ及び第２のフィルタとを備える。
電気機器は、電源と、筐体の吸気口に設けられて外気を濾過する着脱自在の第１のフィルタ及び第２のフィルタと、フィルタを介して吸気し、筐体内を負圧にする排気ファンとを備える。
【００５６】
プロジェクタ及び電気機器では、第１のフィルタ及び第２のフィルタがそれぞれ第１の被検知体及び第２の被検知体に該当する。また、本発明のスイッチ装置において、後述する第１フィルタリブが第１突部に該当し、第２フィルタリブが第２突部に該当する。
本発明のスイッチ装置では、フィルタ清掃をするとき、本体からフィルタを引き出した際、フィルタを外した状態で動作をさせないようにするため、二つのフィルタのいずれを引き出しても一つのスイッチで電源が自動的に切れるように構成してある。以下、詳細に説明する。
【００５７】
図１は本実施の形態に係るプロジェクタのフィルタ着脱を示す外観図であり、（ａ）はフィルタ装着後を示し、（ｂ）はフィルタの脱着を示す。図２は本実施の形態に係るフィルタの正面図であり、（ａ）は第１のフィルタの正面図、（ｂ）は第２のフィルタの正面図である。図３は本実施の形態に係る第１及び第２フィルタリブを示す一部外観図である。
本実施の形態に係るプロジェクタは、吸気口２に対面して第１のフィルタ４及び第２のフィルタ６を脱着可能に備え、各フィルタ４、６はフィルタ挿入口８、９から挿入することにより、プロジェクタの筐体３に嵌着されるようになっている。
【００５８】
第１のフィルタ４は一方の側部下端に筐体内側に設けられる基台１０に立設された第１フィルタリブ１２を有し、第２のフィルタ６は一方の側部下端に筐体内側に設けられた基台１６に立設された第２フィルタリブ１４を有する。第１フィルタリブ１２及び第２フィルタリブ１４はＬ型形状の板状部材であり、両フィルタ４、６がプロジェクタに装着されると、第１フィルタリブ１２及び第２フィルタリブ１４は対称な位置を占めるように対向している。
【００５９】
図４は本実施の形態で使用する本発明のスイッチ装置に係る検知スイッチを示す外観図である。図５は本実施の形態に係るプロジェクタ用におけるスイッチ装置のブラケットの外観図であり、（ａ）は右外観図、（ｂ）は左外観図である。図６は図５（ａ）のＡ―Ａ断面図である。
検知スイッチ２０は例えばリーフスイッチであり、検知スイッチ本体２２と、検知スイッチ本体２２前面に突出した検知可動部２４と、三つの端子２６、２７、２８とを備える。
検知可動部２４は、スイッチオン状態の位置からスイッチオフ状態の位置に常時切り替わるように弾性的に付勢されている。
なお、図４に示す検知スイッチ２０はスイッチオフ状態である。
【００６０】
三つの端子のうち中央の共通端子２７及び上側端子２８が接続され、検知スイッチ２０は、常時、スイッチオフ状態を維持するようにノーマリオフに設定されている。このとき、検知可動部２４は図４に示す原点位置にある。検知可動部２４が原点位置から上方へずれると、スイッチオン状態となって、弾性体の付勢力により原点位置に復帰するように、検知可動部２４に復元力が作用するようになっている。
【００６１】
被検知体を検知する検知レバー２９は、検知可動部２４に遊嵌され、検知可動部２４を回動軸として回動可能になっている。検知レバー２９は、両翼を有する形状であり、各翼は先端に向かって丸みを帯びて湾曲状に形成されている。検知レバー２９の中央に検知可動部２４を遊嵌する貫通孔３２が設けられており、貫通孔３２は検知可動部２４を挿入する方向に対して狭くなるようにテーパー状になっている。さらに、検知レバー２９の貫通孔３２の縁に沿って円筒状の縁部３４が形成されている。
【００６２】
図５に示すように、本実施の形態に係るスイッチ装置のブラケット４０は、基板４２に立設された、凹状のコの字型部材４４、検知スイッチ本体２２を挟持し、かつ、左右及び上下の移動を禁止するＬ型部材４６及びＺ型部材４８並びにワッシャ付きビス３６の穴付き取り付け台４９を備え、Ｚ型部材４８は、検知スイッチ本体２２の前後移動を制限する突起部２５（図８を参照）が、嵌合する溝５０を有する。
さらにブラケット４０は、基板４２に、第１フィルタリブ１２が接触することなく突き上げるように出入りする貫通孔の第１検知孔５６及び第２フィルタリブ１４が接触することなく突き上げるように出入りする貫通孔の第２検知孔５８を、設置される検知スイッチ２０の検知可動部２４に対して対称な位置に有する。
【００６３】
第１検知孔５６及び第２検知孔５８は、第１フィルタリブ１２及び第２フィルタリブ１４のそれぞれの断面形状に対応した形状の孔、つまりＬ字状の孔として形成されている。
さらに、図６に示すように、Ｌ型部材４６及びＺ型部材４８は、上端内側の縁部に庇状の小さな突部５２、５４を設け、突部５２、５４の下面５１、５３はＬ型部材４６及びＺ型部材４８内側面と略直角になるように形成することで検知スイッチ本体２２を、ワッシャ付きビス３６を用いずに固定することも可能である。
なお、図４中の矢印は、検知レバー２９を検知可動部２４に挿入する方向を示す。また図５中、５５はコの字型部材４４とＬ型部材４６及びＺ型部材４８との空隙を示し、５７はＬ型部材４６とＺ型部材４８との間隙を示す。
【００６４】
次に本実施の形態に係るスイッチ装置の装着手順について説明する。
図７は本実施の形態に係るプロジェクタ筐体内に取り付けた本発明のスイッチ装置を示す外観図である。図８は本実施の形態に係る検知スイッチの取り付け方を示す概略図である。図９は本実施の形態に係るプロジェクタにフィルタが二枚装着されたときの本発明のスイッチ装置の右外観図である。図１０は本実施の形態に係るプロジェクタにフィルタが二枚装着されたときの本発明のスイッチ装置の左外観図である。図１１は検知スイッチの状態を示す一部側面図であり、矢印は付勢力が作用する方向を示す。
【００６５】
本実施の形態では、先ず、信号線付きプラグを端子２７、２８に差し込み、次に検知可動部２４に検知レバー２９を遊嵌する（図８参照）。このとき検知レバー２９の中央に設けられている貫通孔３２のテーパー状の面に沿って検知可動部２４が遊嵌可能になっている。
【００６６】
次いで、検知レバー２９が、コの字型部材４４とＬ型部材４６及びＺ型部材４８との間の空隙５５に位置し、かつ、検知スイッチ本体２２の突起部２５がＺ型部材４８の溝５０に嵌合するように（図５、図８及び図９参照）、検知スイッチ本体２２をＬ型部材４６及びＺ型部材４８に嵌入していく。そうすると、Ｌ型部材４６が変形し、Ｌ型部材４６及びＺ型部材４８は、検知スイッチ本体２２を挟持し、庇状の突部５２、５４に形成された略直角の下面５１、５３で上下動を禁止する（図６及び図９参照）。
このとき検知レバー２９の縁部３４がＬ型部材４６及びＺ型部材４８の間隙５７に填り、検知可動部２４の左右方向のぶれを抑える（図９及び図１０参照）。
またコの字型部材４４は、検知レバー２９の貫通孔３２から突出する検知可動部２４がコの字型部材４４の凹部内で接触することなく、往復動可能な空間を確保する（図９及び図１０参照）。
【００６７】
最後に、ワッシャ付きビス３６のワッシャで検知スイッチ本体２２の上面を押さえつつ、穴付き取り付け台４９にワッシャ付きビス３６をねじ込んで、検知スイッチ本体２２の上面を固定する。
【００６８】
なお、図９及び図１０に示すように、第１フィルタリブ１２及び第２フィルタリブ１４は、スイッチ装置３０の検知可動部２４がスイッチオン状態を示す最大位置にまで到達するように、検知レバー２９の両翼を持ち上げている。また、図１１は、図９及び図１０で示したスイッチ装置３０における検知可動部２４の位置で、スイッチオン状態であることを示す。
なお、図８中、検知レバー２９の矢印は検知レバー２９を検知可動部２４に挿入する方向を示し、ワッシャ付きビス３６の矢印はビスの挿入方向を示す。
【００６９】
このような構成の本実施の形態では、第１フィルタリブ１２及び第２フィルタリブ１４が検知可動部２４の両翼を突き上げることによりスイッチ装置３０がスイッチオン状態となり、プロジェクタに第１のフィルタ４及び第２のフィルタ６の両方が装着されていることを検知する。
【００７０】
図１２は本実施の形態に係るプロジェクタにフィルタが一枚装着されたときの本発明のスイッチ装置の右外観図である。図１３は本実施の形態に係るプロジェクタにフィルタが一枚装着されたときの本発明のスイッチ装置の左外観図である。図１４はスイッチ装置における検知スイッチの状態を示す側面図である。
図９及び図１０に示す両フィルタ４、６が装着されている状態から、第２のフィルタ６を引き出すと、検知レバー２９の一方の翼が支持を失って検知可動部２４を回動軸として検知レバー２９が回動し、図１２及び図１３に示す状態となる。このとき検知可動部２４は図１４に示す位置、つまり原点位置に戻り、スイッチオフ状態になる。
以下、本実施の形態に係るスイッチ装置の動作について詳細に説明する。
【００７１】
図１５は本実施の形態に係るプロジェクタにフィルタが二つとも装着された状態を示す説明図であり、（ａ）は検知スイッチがスイッチオン状態を示す図、（ｂ）は検知可動部の状態を示す概略正面図、（ｃ）はプロジェクタのフィルタ脱着状態を示す図である。図１６は本実施の形態に係るプロジェクタから後ろのフィルタを抜いた状態を示す説明図であり、（ａ）は検知スイッチがスイッチオフ状態を示す図、（ｂ）は検知可動部の状態を示す概略正面図、（ｃ）はプロジェクタのフィルタ脱着状態を示す図である。図１７は本実施の形態に係るプロジェクタから前のフィルタを抜いた状態を示す説明図であり、（ａ）は検知スイッチがスイッチオフ状態を示す図、（ｂ）は検知可動部の状態を示す概略正面図、（ｃ）はプロジェクタのフィルタ脱着状態を示す図である。図１８は本実施の形態に係るプロジェクタから前後の両フィルタを二つとも抜いた状態を示す説明図であり、（ａ）は検知スイッチがスイッチオフ状態を示す図、（ｂ）は検知可動部の状態を示す概略正面図、（ｃ）はプロジェクタのフィルタ脱着状態を示す図である。
【００７２】
先ず、本実施の形態に係るプロジェクタには第１のフィルタ４及び第２のフィルタ６が装着されており、第１フィルタリブ１２及び第２フィルタリブ１４が検知レバー２９の両翼を突き上げ、検知スイッチ２０がスイッチオン状態にある（図１５参照）。このとき、プロジェクタの電源がオンになっており、排気ファンを運転し、プロジェクタ筐体内の熱排気を行っている。
検知可動部２４は上限界点まで移動しており、常時、原点復帰するように図１５（ａ）の矢印で示す方向に付勢力が作用している。
第１フィルタリブ１２及び第２フィルタリブ１４で検知レバー２９が突き上げられているとき、図１５（ｂ）に示すように、検知可動部２４は、検知レバー２９の貫通孔３２内のテーパー状の面に沿って、貫通孔３２中央を通る位置で遊嵌している。
なお、図１５（ｂ）中、２２は検知スイッチ本体の正面を示し、２４は検知可動部の正面を示す。以下、図１６（ｂ）から図１８（ｂ）まで同様である。
【００７３】
図１５に示す状態のプロジェクタから第１のフィルタ４を引き出したとき（図１６（ｃ）参照）、第２のフィルタ６の第２フィルタリブ１４は、検知レバー２９を突き上げたままであるが（図１６（ｂ）参照）、第１のフィルタ４を引き出すにつれて、つまり第１フィルタリブ１２を引き出すにつれて、検知レバー２９が検知可動部２４を回動軸として回動し、検知可動部２４は付勢力により原点位置に復帰し、検知スイッチ２０はスイッチオフ状態となる（図１６（ａ）参照）。このとき、プロジェクタの電源がオフとなり、排気ファンが停止する。検知可動部２４は原点位置まで復帰しているので、付勢力は作用していない。
第２フィルタリブ１４で検知レバー２９の一方の翼を突き上げているとき、図１６（ｂ）に示すように、検知可動部２４は、回動した検知レバー２９の貫通孔３２の下方方向に偏心した位置で遊嵌している。
【００７４】
また、図１５に示す状態のプロジェクタから第２のフィルタ６を引き出したとき（図１７（ｃ）参照）、第１のフィルタ４の第１フィルタリブ１２は、検知レバー２９を突き上げたままであるが（図１７（ｂ）参照）、第２のフィルタ６を引き出すにつれて、つまり第２フィルタリブ１４を引き出すにつれて、検知レバー２９が検知可動部２４を回動軸として回動し、検知可動部２４は付勢力により原点位置に復帰し、検知スイッチ２０はスイッチオフ状態となる（図１７（ａ）参照）。このとき、プロジェクタの電源がオフとなり、排気ファンが停止する。検知可動部２４は原点位置まで復帰しているので、付勢力は作用していない。
第１フィルタリブ１２で検知レバー２９の他方の翼を突き上げているとき、図１７（ｂ）に示すように、検知可動部２４は、回動した検知レバー２９の貫通孔３２の下方方向に偏心した位置で遊嵌している。
【００７５】
図１５に示す状態のプロジェクタから第１及び第２のフィルタ４、６の両方を引き出したとき（図１８（ｃ）参照）、或いは、図１６（ｃ）又は図１７（ｃ）に示す状態のプロジェクタから第１及び第２のフィルタ４、６のいずれかを引き抜いたとき、検知レバー２９が下がって原点位置に復帰し、検知スイッチ２０はスイッチオフ状態となって（図１８（ａ）参照）、プロジェクタの電源がオフとなり、排気ファンは停止する。検知可動部２４は原点位置まで復帰しているので、付勢力は作用していない。
第１フィルタリブ１２及び第２フィルタリブ１４が検知レバー２９の両翼を突き上げていないとき、図１８（ｂ）に示すように、検知可動部２４は、原点復帰して、検知レバー２９の貫通孔３２の上方方向に偏心した位置で遊嵌している。
【００７６】
このような構成の本実施の形態では、第１フィルタリブ１２及び第２フィルタリブ１４のいずれかが検知レバー２９に当接して突き上げているとき、又は第１フィルタリブ１２及び第２フィルタリブ１４の両方が検知レバー２９に当接していないとき、検知スイッチ２０はスイッチオフ動作をする。そして、第１フィルタリブ１２及び第２フィルタリブ１４の両方が検知レバー２９に当接して突き上げているときにのみ、検知スイッチ２０はスイッチオン動作をする。
したがって、本実施の形態では、フィルタを引き出した際、二つのフィルタのいずれか、又は両方を引き出しても一個の検知スイッチでスイッチオフ動作をして電源が切れているので、フィルタを取り付けていない状態での機器使用による不具合を未然に防止することができる。
【００７７】
本実施の形態では、プロジェクタに本発明のスイッチ装置を適用し、被検知体として第１のフィルタ及び第２のフィルタを例に挙げて説明したが、これに限らず、例えば、被検知体を有し、被検知体を検知して電源などのオン・オフを制御する装置に適用することができる。例えば、パーソナルコンピュータ、ハードディスク、レコーダなどに適用することができる。
【図面の簡単な説明】
【００７８】
【図１】本実施の形態に係るプロジェクタのフィルタ着脱を示す外観図である。
【図２】本実施の形態に係るフィルタの正面図である。
【図３】本実施の形態に係る第１及び第２フィルタリブを示す一部外観図である。
【図４】本実施の形態で使用する本発明のスイッチ装置に係る検知スイッチを示す外観図である。
【図５】本実施の形態に係るプロジェクタ用におけるスイッチ装置のブラケットの外観図である。
【図６】図５（ａ）のＡ―Ａ断面図である。
【図７】本実施の形態に係るプロジェクタ筐体内に取り付けた本発明のスイッチ装置を示す外観図である。
【図８】本実施の形態に係る検知スイッチの取り付け方を示す概略図である。
【図９】本実施の形態に係るプロジェクタにフィルタが二枚装着されたときの本発明のスイッチ装置の右外観図である。
【図１０】本実施の形態に係るプロジェクタにフィルタが二枚装着されたときの本発明のスイッチ装置の左外観図である。
【図１１】検知スイッチの状態を示す一部側面図である。
【図１２】本実施の形態に係るプロジェクタにフィルタが一枚装着されたときの本発明のスイッチ装置の右外観図である。
【図１３】本実施の形態に係るプロジェクタにフィルタが一枚装着されたときの本発明のスイッチ装置の左外観図である。
【図１４】スイッチ装置における検知スイッチの状態を示す側面図である。
【図１５】本実施の形態に係るプロジェクタにフィルタが二つとも装着された状態を示す説明図である。
【図１６】本実施の形態に係るプロジェクタから後ろのフィルタを抜いた状態を示す説明図である。
【図１７】本実施の形態に係るプロジェクタから前のフィルタを抜いた状態を示す説明図である。
【図１８】本実施の形態に係るプロジェクタから前後の両フィルタを二つとも抜いた状態を示す説明図である。
【符号の説明】
【００７９】
４  第１のフィルタ
６  第２のフィルタ
１２  第１フィルタリブ
１４  第２フィルタリブ
２０  検知スイッチ
２２  検知スイッチ本体
２４  検知可動部
２５  突起部
２９  検知レバー
３０  スイッチ装置
３２  貫通孔
３４  縁部
４０  ブラケット
４２  基板
４４  コの字型部材
４６  Ｌ型部材
４８  Ｚ型部材
５０  溝
５２、５４  突部
５５  空隙
５６  第１検知孔
５８  第２検知孔
【図１】
2008071538.tif 000003
【図２】
2008071538.tif 000004
【図３】
2008071538.tif 000005
【図４】
2008071538.tif 000006
【図５】
2008071538.tif 000007
【図６】
2008071538.tif 000008
【図７】
2008071538.tif 000009
【図８】
2008071538.tif 000010
【図９】
2008071538.tif 000011
【図１０】
2008071538.tif 000012
【図１１】
2008071538.tif 000013
【図１２】
2008071538.tif 000014
【図１３】
2008071538.tif 000015
【図１４】
2008071538.tif 000016
【図１５】
2008071538.tif 000017
【図１６】
2008071538.tif 000018
【図１７】
2008071538.tif 000019
【図１８】
2008071538.tif 000020